(57)【要約】【課題】調理の加熱時間や加熱温度を設定する操作手順を、説明書を熟読しなくても操作が容易に理解できること。【解決手段】操作パネル２と、操作パネル２の前面に設けられ調理メニューや操作キーを表示した操作キーシート３と、調理の加熱時間や加熱温度を設定する設定用ツマミ５と、発光体６と、設定用ツマミ５の周囲を円周状に透明にした操作キーシート３の透明部７と、導光拡散部材８とを備え、調理をしようと所望の調理メニューの操作キーを押した時に、発光体６を発光させ、その光を導光拡散部材８により透明部７に導き、設定用ツマミ５の周囲を円周状に発光させるので、設定用ツマミ５が光の輪の中に浮かび上がったように見え、次に行なうべき調理の加熱時間や加熱温度を設定する設定用ツマミ５の操作を視覚的に促し、説明書を熟読したり、操作方法を正確に覚えていなくても操作手順を容易に理解できる。【選択図】  図１
2004198076.tif 000002
【特許請求の範囲】
【請求項１】
食品を加熱する加熱室と、加熱手段と、操作パネルと、前記操作パネルを構成する樹脂材料よりなるパネルベースと、  操作パネルの前面に設けられ、調理メニューや操作キーを表示した操作キーシートと、調理の加熱時間や加熱温度を設定する設定用ツマミと、前記設定用ツマミの近傍に設定用ツマミの使用を光で促すための発光体と、設定用ツマミの周囲を円周状に透明にした操作キーシートの透明部と、発光体からの光を操作キーシートの透明部に導く導光拡散部材とを備えてなる加熱調理器。
【請求項２】
発光体は、設定用ツマミの周囲に円周状に等間隔に複数個備え、導光拡散部材を用いずに、設定用ツマミの周囲に円周状に形成された操作キーシートの透明部の裏面に光を乱反射する半透明インクをつや消し印刷してなる請求項１に記載の加熱調理器。
【請求項３】
半透明インクを用いずに、透明インクをつや消し印刷してなる請求項２に記載の加熱調理器。
【請求項４】
発光体は、設定用ツマミの周囲に円周状に設けられたパネルベースの凹部に配設してなる請求項１〜３のいずれか１項に記載の加熱調理器。
【請求項５】
パネルベースの凹部には、光を反射する光反射部材を備えてなる請求項４に記載の加熱調理器。
【請求項６】
パネルベースは、白色系の樹脂材料で成形されてなる請求項４に記載の加熱調理器。
【請求項７】
パネルベースを成形する樹脂成形金型の、パネルベースの凹部を成形する金型表面は、鏡面仕上げ加工を施され、パネルベースの凹部が光沢を有してなる請求項４〜６のいずれか１項に記載の加熱調理器。
【発明の詳細な説明】
【０００１】
【発明の属する技術分野】
本発明は、調理の加熱時間や加熱温度を設定する設定用ツマミを有した加熱調理器に関するものである。
【０００２】
【従来の技術】
従来、この種の加熱調理器としては、図７に記載された調理の加熱時間や加熱温度を設定する設定用ツマミを有した加熱調理器のようなものがる（例えば特許文献１参照）。
【０００３】
【特許文献１】
特開平７−１１９９８５号公報
【０００４】
【発明が解決しようとする課題】
しかしながら、前記従来の構成では、操作キーや設定用ツマミの操作手順が複雑で、取扱い説明書などを熟読し操作方法を熟知しなければ使いこなせず、また操作方法を忘れやすいという課題を有していた。
【０００５】
そのため、新しい電気製品に不慣れな年配者の中には加熱調理器を使いこなせずにいるか、使用しないままでいるという結果になり、技術革新により機能が増えた結果、操作キーの数が増えたり操作パネルに設定用ツマミが複数個設けられた加熱調理器などでは、こういった傾向がさらに強まるという課題を有していた。
【０００６】
本発明は、前記従来の課題を解決するもので、取扱い説明書などによらず、操作が視覚的にわかり易い加熱調理器を提供することを目的とする。
【０００７】
【課題を解決するための手段】
前記従来の課題を解決するために、本発明の加熱調理器は、操作パネルの前面に設けられ、調理メニューや操作キーを表示した操作キーシートと、調理の加熱時間や加熱温度を設定する設定用ツマミと、設定用ツマミの近傍に設定用ツマミの使用を光で促すための発光体と、設定用ツマミの周囲を円周状に透明にした操作キーシートの透明部と、発光体からの光を操作キーシートの透明部に導く導光拡散部材とを備えたものである。
【０００８】
これによって、使用者が、調理をしようと所望の調理メニューの操作キーを押した時に、設定用ツマミの周囲を発光させ、設定用ツマミが光の輪の中に浮かぶように見えるので、次に行なうべき加熱時間や加熱温度の設定を設定用ツマミにより行なう必要が有ることを視覚的に促すので、取扱い説明書などを熟読しなくても、また操作手順を忘れても、次に必要な操作を容易に理解できる。
【０００９】
【発明の実施の形態】
請求項１に記載の発明は、設定用ツマミの使用を光で促すための発光体と、設定用ツマミの周囲を円周状に透明にした操作キーシートの透明部と、発光体からの光を操作キーシートの透明部に導く導光拡散部材とを備えることにより、調理をしようと調理メニューの操作キーを押した時に発光体を発光させ、その光を導光拡散部材により設定用ツマミの周囲の円周状の操作キーシートの透明部に導き、設定用ツマミの周囲を発光させ、次に行なうべき調理の加熱時間や加熱温度を設定する設定用ツマミの操作を視覚的に促し、取扱い説明書などを熟読しなくても、また操作手順を忘れても、次に必要な操作を容易に理解することができる。
【００１０】
請求項２に記載の発明は、特に、請求項１に記載の発光体を、設定用ツマミの周囲に円周状に等間隔に複数個備え、導光拡散部材を用いずに、設定用ツマミの周囲に円周状に形成された操作キーシートの透明部の裏面に光を乱反射する半透明インクをつや消し印刷することにより、発光体を発光させたときに、半透明インクの乱反射効果により使用者からは個々の発光体が直接は見えず、光を乱反射している操作キーシートの透明部全体が均一に発光するので、設定用ツマミが光の輪の中に浮かび上がったように見え、高価な光学的導光拡散機能を有する導光拡散部材を用いずとも、容易に設定用ツマミを使用すべきことを視覚的に促すことができる。
【００１１】
請求項３に記載の発明は、特に、請求項２に記載の半透明インクを用いずに、透明インクをつや消し印刷することにより、操作キーシートの透明部の色調を、半透明インクを印刷した場合とは異なった色調に変える事が出来る。その結果、デザイン変更の幅を広げると共に、光の透過率を向上させ視覚的効果をさらに向上することができる。
【００１２】
請求項４に記載の発明は、特に、請求項１ないし３に記載の発光体を、設定用ツマミの周囲に円周状に設けられたパネルベースの凹部に配設することにより、発光体を発光させたときに、パネルベースの凹部の壁面で光が反射され、発光体の光を効率よく操作パネルの前面に放射できるので、視覚的効果を向上することができる。
【００１３】
請求項５に記載の発明は、特に、請求項４に記載のパネルベースの凹部内に光を反射する光反射部材を配置することにより、加熱調理器のデザインに合わせて、パネルベースの色調を光の反射率の低い黒色などの濃い色調の材料で形成した場合でも、光反射部材で光が反射されるので、発光体の光を効率よく操作パネルの前面に放射でき、視覚的効果を向上することができる。
【００１４】
請求項６に記載の発明は、特に、請求項４に記載のパネルベースを白色系の樹脂材料で成形することにより、白色樹脂表面からは光のほとんどが反射されるので、発光体の光を効率よく操作パネルの前面に放射でき、光反射部材のような特別な部品を用いなくても、簡単な構成で視覚的効果を向上することができる。
【００１５】
請求項７に記載の発明は、特に、請求項４ないし６に記載のパネルベースを成形する樹脂成形金型の、パネルベースの凹部を成形する金型表面部分を、鏡面仕上げ加工を施すことにより、パネルベースの凹部が光沢を有して光の反射率が向上されるので、発光体の光を効率よく操作パネルの前面に放射でき、視覚的効果を向上することができる。
【００１６】
【実施例】
以下本発明の実施例について、図面を参照しながら説明する。
【００１７】
（実施例１）
図１は、本発明の第１の実施例における加熱調理器の操作パネルの要部断面図を示すものである。
【００１８】
図１において、３は調理メニューや操作キーを表示した操作キーシートであり、調理の加熱時間や加熱温度を設定する設定用ツマミ５と有機的に関連して操作パネル２の操作入力装置を構成している。６は設定用ツマミ５の近傍に設けられた発光体で、設定用ツマミ５の周囲には操作キーシート３の一部を円周状に透明にした透明部７を形成し、発光体６と透明部７の間には導光拡散部材８を配置している。
【００１９】
以上のように構成された加熱調理器について、以下にその動作、作用を説明する。
【００２０】
まず、調理をしようと所望の操作キーシート３上に設けた調理メニューの操作キーを押した時に、発光体６を発光させ、その光を導光拡散部材８により操作キーシート３の円周状の透明部７に導き、設定用ツマミ５の周囲を円周状に発光させるので、設定用ツマミ５が光の輪の中に浮かび上がったように見える。
【００２１】
以上のように、本実施例においては、設定用ツマミ５の使用を光で促すための発光体６と、設定用ツマミ５の周囲を円周状に透明にした操作キーシート３の透明部７と、発光体６からの光を透明部７に導く導光拡散部材８とを備えることにより、調理をしようと所望の調理メニューの操作キーを押した時に、発光体６を発光させ、その光を導光拡散部材８により操作キーシート３の円周状の透明部７に導き、設定用ツマミ５の周囲を円周状に発光させるので、設定用ツマミ５が光の輪の中に浮かび上がったように見え、次に行なうべき調理の加熱時間や加熱温度を設定する設定用ツマミ５の操作を視覚的に促すので、取扱い説明書などを熟読したり、操作方法を正確に覚えていなくても次に必要な操作を容易に理解することができる。
【００２２】
（実施例２）
図２は、本発明の第２の実施例の加熱調理器の操作パネルの要部断面図である。図２において、９は操作キーシート３の円周状の透明部７の裏面につや消し印刷された半透明インクで、実施例１の構成と異なるところは発光体６を、設定用ツマミ５の周囲に円周状に等間隔に複数個備えた点と、導光拡散部材を用いずに構成した点である。なお、実施例１と同一符号のものは同一構造を有し、説明は省略する。
【００２３】
まず、発光体６を発光させたときに、つや消し印刷された半透明インク９の乱反射効果により使用者からは個々の発光体６そのもの形状は見えず、操作キーシート３の円周状の透明部７は、発光体６を設定用ツマミ５の周囲に円周状に等間隔に複数個配置しているので、導光拡散部材８を用いずとも全体が均一に発光する。
【００２４】
以上のように、本実施例に置いては操作キーシート３の円周状の透明部７の裏面に半透明インク９をつや消し印刷し、発光体６を設定用ツマミ５の周囲に円周状に等間隔に複数個配置することにより、発光体６を発光させたときに、つや消し印刷された半透明インク９の乱反射効果により使用者からは個々の発光体６そのものは直接見えないが、導光拡散部材８を用いずとも円周状の透明部７全体を均一に発光させ、設定用ツマミ５の操作を視覚的に促す効果を得、また、デザイン面からは半透明インクにより淡い暖かみのある光の輪を得ることができる。
【００２５】
（実施例３）
図３は、本発明の第３の実施例の加熱調理器の操作パネルの要部断面図である。図３において、１３は操作キーシート３の円周状の透明部７の裏面につや消し印刷された透明インクで、実施例２の構成と異なるところは半透明インクを用いずに、透明インク１３をつや消し印刷した点である。なお、実施例２と同一符号のものは同一構造を有し、説明は省略する。
【００２６】
まず、発光体６を発光させたときに、つや消し印刷された透明インク１３の乱反射効果により操作キーシートの透明部の色調を、半透明インクを印刷した場合とは異なったクリアな透明感のある色調に変えることができる。
【００２７】
以上のように、本実施例に置いては半透明インクを用いずに、透明インクをつや消し印刷することにより、操作キーシートの透明部の色調を、半透明インクを印刷した場合とは異なった色調に変える事が出来てデザイン選択の幅を広げると共に、光の透過率を向上させ視覚的効果をさらに向上することができる。
【００２８】
（実施例４）
図４は、本発明の第４の実施例の加熱調理器の操作パネルの要部断面図である。図４において、１１は設定用ツマミ５の周囲に円周状に設けられたパネルベース１０の凹部で、実施例１ないし３の構成と異なるところは発光体６を、パネルベース１０の凹部１１に配設した点である。なお、実施例１ないし３と同一符号のものは同一構造を有し、説明は省略する。
【００２９】
まず、発光体６を、設定用ツマミ５の周囲に円周状に設けられたパネルベース１０の凹部１１内に配設しているので、発光体６を発光させたときに、凹部１１の壁面で光が反射され、操作パネル２の内部に拡散することなく光は円周状の透明部７にほとんどが導かれる。
【００３０】
以上のように、本実施例に置いては設定用ツマミ５の周囲に円周状にパネルベース１０の凹部１１を設け、発光体６を凹部１１内に配設することにより、発光体６を発光させたときに、凹部１１の壁面で光が反射され、操作パネル２の内部に拡散することなく透明部７にほとんどが導かれることになり、発光体６の光を効率よく操作パネル２の前面に放射できるので、視覚的効果を向上することができ、操作パネル２の内部から不要な部分への光漏れも防止できる。
【００３１】
（実施例５）
図５は、本発明の第５の実施例の加熱調理器の操作パネルの要部断面図である。図５において、１２はパネルベース１０の凹部１１内に配設された光反射部材で、実施例４の構成と異なるところは光反射部材１２を、パネルベース１０の凹部１１内に配設した点である。なお、実施例１ないし４と同一符号のものは同一構造を有し、説明は省略する。
【００３２】
まず、パネルベース１０の凹部１１内に光反射部材１２を配設し、発光体６を発光させたときには、光反射部材１２の壁面で光が効率よく反射される。
【００３３】
以上のように、本実施例に置いてはパネルベース１０の凹部１１に光反射部材１２を配設することにより、発光体６を発光させたときに、光反射部材１２の壁面で光が反射され、操作パネル２の内部に拡散したりパネルベース１０の表面に吸収されることなく透明部７の裏面にほとんどが導かれることになり、加熱調理器のデザインに合わせて、パネルベース１０の色調が光の反射率の低い濃い色調の材料で形成された場合でも、発光体６の光を効率よく操作パネル２の前面に放射できるので、視覚的効果を向上することができる。
【００３４】
（実施例６）
本発明の第６の実施例は、図４を用いて説明される。実施例４の構成と異なるところはパネルベース１０を、白色系の樹脂材料で成形した点である。
【００３５】
まず、パネルベース１０を白色系の樹脂材料で成形することにより、白色樹脂表面では光のほとんどが反射されるので、パネルベース１０の凹部１１内に配設されている発光体６を発光させたときに、凹部１１の壁面で光が効率よく反射され、光は円周状の透明部７に多く導かれる。
【００３６】
以上のように、本実施例に置いてはパネルベース１０を白色系の樹脂材料で成形することにより、白色樹脂表面からは光のほとんどが反射されるので、パネルベース１０の凹部１１内に配設されている発光体６を発光させたときに、凹部１１の壁面で光が効率よく反射され、光は円周状の透明部７に多く導かれることになり、発光体６の光を効率よく操作パネル２の前面に放射できるので、視覚的効果をさらに向上することができる。樹脂材料の色はホスピタルホワイトと呼ばれる白色を使用すればその反射効果は著しく、清潔感のあるデザインとなる。
【００３７】
（実施例７）
図６は、本発明の第７の実施例の加熱調理器の操作パネルの要部断面図である。図６において、１１は設定用ツマミ５の周囲に円周状に設けられたパネルベース１０の凹部で、実施例４ないし６の構成と異なるところはパネルベース１０の凹部１１を成形する金型表面部分に、鏡面仕上げ加工を施した点である。なお、実施例４ないし６と同一符号のものは同一構造を有し、説明は省略する。
【００３８】
まず、パネルベース１０の凹部１１を成形する金型表面部分を、鏡面仕上げ加工を施すと、凹部１１の内表面は光沢を有した鏡面状態に成形される。したがって、光の反射率が鏡面状態でない表面に比べさらに向上する。
【００３９】
以上のように、本実施例に置いてはパネルベースを成形する樹脂成形金型の、パネルベースの凹部を成形する金型表面部分に、鏡面仕上げ加工を施すことにより、パネルベースの凹部が光沢を有して光の反射率が向上されるので、発光体の光を効率よく操作パネルの前面に放射でき、視覚的効果を向上することができる。
【００４０】
【発明の効果】
以上のように、請求項１〜７に記載の発明によれば、取扱い説明書などを熟読したり操作方法を正確に覚えていなくても、次に必要な操作を容易に理解できるので、技術革新により機能が充実した加熱調理器を簡単に操作することが出来て、毎日の料理を豊かで楽しいものにすることができる。
【図面の簡単な説明】
【図１】本発明の実施例１における加熱調理器の操作パネルの要部断面図
【図２】本発明の実施例２における加熱調理器の操作パネルの要部断面図
【図３】本発明の実施例３における加熱調理器の操作パネルの要部断面図
【図４】本発明の実施例４における加熱調理器の操作パネルの要部断面図
【図５】本発明の実施例５における加熱調理器の操作パネルの要部断面図
【図６】本発明の実施例７における加熱調理器の操作パネルの要部断面図
【図７】従来の加熱調理器の外観斜視図
【符号の説明】
２  操作パネル
３  操作キーシート
５  設定用ツマミ
６  発光体
７  透明部（操作キーシート）
８  導光拡散部材
９  半透明インク
１０  パネルベース
１１  凹部（パネルベース）
１２  光反射部材
１３  透明インク
【図１】
2004198076.tif 000003
【図２】
2004198076.tif 000004
【図３】
2004198076.tif 000005
【図４】
2004198076.tif 000006
【図５】
2004198076.tif 000007
【図６】
2004198076.tif 000008
【図７】
2004198076.tif 000009